(57)【要約】【課題】管部材の端部の移動を拘束することなく所定の挿入位置に設置できる伸縮継手を提供する。【解決手段】一方の管部材１Ａの端部１１に取り付けられ、他方の管部材２の端部２１が移動可能に挿入される拡径筒部３１を備える伸縮継手３である。  そして、拡径筒部３１は挿入された他方の管部材２の端部位置２１を外側から視認できる透明部３２を備え、透明部３２には他方の管部材２の挿入深さの基準となる指標３３が設けられている。  また、他方の管部材２の端縁には、透明部３２を通じた視認を容易にする目印２２が設けられる。【選択図】図１
2009204047.tif 000002
【特許請求の範囲】
【請求項１】
一方の管部材の端部に取り付けられ、他方の管部材の端部が移動可能に挿入される拡径筒部を備える伸縮継手であって、
前記拡径筒部は、挿入された前記他方の管部材の端部位置を外側から視認できる透明部を備え、
前記透明部には、前記他方の管部材の挿入深さの基準となる指標が設けられていることを特徴とする伸縮継手。
【請求項２】
前記透明部は、前記指標を基準として、少なくとも前記他方の管部材が移動すると想定される範囲に設けられることを特徴とする請求項１に記載の伸縮継手。
【請求項３】
前記透明部に設けられた前記指標の近傍には、前記他方の管部材の端部位置を拡大して見ることのできるレンズ部が設けられることを特徴とする請求項１又は請求項２に記載の伸縮継手。
【請求項４】
請求項１乃至請求項３のいずれか一項に記載の伸縮継手に、前記他方の管部材の端部が移動可能に挿入される継手構造であって、
前記他方の管部材の端縁には、前記透明部を通じた視認を容易にする目印が設けられることを特徴とする継手構造。
【請求項５】
一方の管部材の端部に取り付けられ、他方の管部材の端部が移動可能に挿入される拡径筒部を備える伸縮継手であって、
前記拡径筒部の内側には、前記他方の管部材の端面に当接して前記拡径筒部の内面と前記他方の管部材の内面との段差を埋める段差防止筒が挿入され、
前記段差防止筒は、前記他方の管部材の移動に追従して摺動可能に形成されることを特徴とする伸縮継手。
【発明の詳細な説明】
【技術分野】
【０００１】
本発明は、排水管等に用いる伸縮継手及びこの伸縮継手を備える継手構造に関するものである。
【背景技術】
【０００２】
従来、外気温の変化や内部を流れる流体の温度変化によって管部材が熱伸縮して、管路が破損することが問題となっている。
【０００３】
この熱伸縮による管路の破損を防止するため、継手部分で熱伸縮による管部材の移動を吸収する伸縮継手が知られている。
【０００４】
例えば、特許文献１では、受口側の内面に設けたストッパ又は差込側の管部材の端部が面取りされてテーパ状に形成されることで、ストッパと端部とが線接触する構成が開示されている。
【０００５】
したがって、差込側の端部はストッパに乗り上げるように受口側を拡径させて侵入するため、受口側の破損を防止することができる。
【０００６】
また、特許文献２では、差込側の外周のあらかじめ設定された位置に、水溶性樹脂や生分解性樹脂からなるストッパを取り付けて、受口側に差込側を挿入したときに受口側の先端部がストッパに当接することにより設定された挿入量となるようにされた管継手構造が開示されている。
【特許文献１】特開２００６−３１２９６７号公報
【特許文献２】特開２００５−１６３８７０号公報
【発明の開示】
【発明が解決しようとする課題】
【０００７】
しかしながら、前記した特許文献１では、接触箇所がテーパ状に形成されてはいるものの、受口側のストッパに差込側の管部材の端部を突き合わせる構造のため、管部材が伸縮した際には軸方向力を生じさせていた。
【０００８】
また、前記した特許文献２では、施工の直後や周囲に水や微生物などが存在しない場合にはストッパが分解されず、ストッパに管部材の端部が当接するため、管部材の伸縮によって管部材に軸方向力を生じさせていた。
【０００９】
そこで、本発明は、管部材の端部の移動を拘束することなく所定の挿入位置に設置できる伸縮継手と、この伸縮継手を備える継手構造と、を提供することを目的としている。
【課題を解決するための手段】
【００１０】
前記目的を達成するために、本発明の伸縮継手は、一方の管部材の端部に取り付けられ、他方の管部材の端部が移動可能に挿入される拡径筒部を備える伸縮継手であって、前記拡径筒部は、挿入された前記他方の管部材の端部位置を外側から視認できる透明部を備え、前記透明部には、前記他方の管部材の挿入深さの基準となる指標が設けられていることを特徴とする。
【００１１】
また、前記透明部は、前記指標を基準として、少なくとも前記他方の管部材が移動すると想定される範囲に設けられる構成とすることができる。
【００１２】
さらに、前記透明部に設けられた前記指標の近傍には、前記他方の管部材の端部位置を拡大して見ることのできるレンズ部が設けられる構成とすることができる。
【００１３】
そして、本発明の継手構造は、上記したいずれかの伸縮継手に、前記他方の管部材の端部が移動可能に挿入される継手構造であって、前記他方の管部材の端縁には、前記透明部を通じた視認を容易にする目印が設けられることを特徴とする。
【００１４】
また、本発明の伸縮継手は、一方の管部材の端部に取り付けられ、他方の管部材の端部が移動可能に挿入される拡径筒部を備える伸縮継手であって、前記拡径筒部の内側には、前記他方の管部材の端面に当接して前記拡径筒部の内面と前記他方の管部材の内面との段差を埋める段差防止筒が挿入され、前記段差防止筒は、前記他方の管部材の移動に追従して摺動可能に形成されることを特徴とする。
【発明の効果】
【００１５】
このように、本発明の伸縮継手は、一方の管部材の端部に取り付けられ、他方の管部材の端部が移動可能に挿入される拡径筒部を備える伸縮継手であって、拡径筒部は、挿入された他方の管部材の端部位置を外側から視認できる透明部を備え、透明部には他方の管部材の挿入深さの基準となる指標が設けられている。
【００１６】
したがって、挿入される管部材の端部位置を外側から見て指標の位置に合わせることで、管部材の端部の移動を拘束することなく所定の挿入位置に管部材を設置することができる。
【００１７】
また、透明部は、指標を基準として、少なくとも他方の管部材が移動すると想定される範囲に設けられることで、管部材の伸縮による移動を確認できるうえに、その他の範囲で排水が見えることを防止できる。
【００１８】
さらに、透明部に設けられた指標の近傍には、他方の管部材の端部位置を拡大して見ることのできるレンズ部が設けられることで、管部材の端部位置が見やすくなるため、位置の調整が容易になる。
【００１９】
そして、本発明の継手構造は、他方の管部材の端縁に透明部を通じた視認を容易にする目印が設けられることで、暗渠部で施工する際にも外側から光を当てることで端部位置を容易に確認することができる。
【００２０】
また、本発明の伸縮継手は、一方の管部材の端部に取り付けられ、他方の管部材の端部が移動可能に挿入される拡径筒部を備える伸縮継手であって、拡径筒部の内側には、他方の管部材の端面に当接して拡径筒部の内面と他方の管部材の内面との段差を埋める段差防止筒が挿入され、段差防止筒は、他方の管部材の移動に追従して摺動可能に形成されている。
【００２１】
したがって、横向きの配管に伸縮継手を設置する際にも、管部材の伸縮による移動を拘束することがないうえに、段差を埋めることで排水中の不純物などが溜まることを抑制できる。
【発明を実施するための最良の形態】
【００２２】
以下、本発明の最良の実施の形態について図面を参照して説明する。
【００２３】
まず、図２を用いて本発明の継手構造Ｃを備える配管システムＳの全体構成を説明する。
【００２４】
本実施の形態の配管システムＳは、図２に示すように、鉛直方向の管部材２，１Ａを上階と下階との中間部で相対移動可能に接続する継手構造Ｃと、貯湯タンク７３に接続される横枝管７２を管部材１Ａに接続するチーズ４を有する継手構造Ｃ３と、鉛直方向の管部材１Ｂ，１Ｃを相対移動可能に接続するとともに横枝管７１を管部材１Ｂに接続するチーズ４を有する継手構造Ｃ２と、を備えている。
【００２５】
この管部材２，１Ａ，１Ｂ，１Ｃは、硬質塩化ビニルなどの樹脂によって長尺円筒状に形成されるもので、アーチ状の支持金具６３を向かい合わせてボルトで締め付けることによって構造物の壁に固定されている。
【００２６】
また、この管部材２，１Ａ，１Ｂ，１Ｃは、鉛直方向に連続して接続される場合には、熱伸縮を吸収するために数メートルごとの一定間隔で伸縮継手３を設置することが定められている。
【００２７】
そして、本実施の形態の継手構造Ｃは、図１に示すように、一方の管部材１Ａの端部１１にソケット６４によって取り付けられている伸縮継手３と、この伸縮継手３に移動可能に挿入されている他方の管部材２と、を備えている。
【００２８】
さらに、この挿入される他方の管部材２の端縁としての端部２１近傍の外周面には、伸縮継手３の外側から見た際の目印としての蛍光テープ２２が巻かれている。
【００２９】
なお、この目印は、蛍光テープ２２に限定されるものではなく、ラメを含有する蛍光塗料など、暗い場所において照明光を当てて伸縮継手３の外側から見やすくなるものであればどのようなものであってもよい。
【００３０】
加えて、この目印は、管部材２の端面に接して設けられるものでなくてもよく、管部材２の端面から所定の長さ後退した位置を基準とする目盛状に設けられて、端部２１の位置を間接的に示すものであってもよい。
【００３１】
また、伸縮継手３は、図１，３に示すように、主要な部分全体が透明な樹脂によって形成されるもので、全体が透明部３２となっている拡径筒部３１と、この拡径筒部３１の略中央近傍に設けられる指標３３と、他方の管部材２を移動可能に止水するパッキン３８と、このパッキン３８を押さえるキャップ３７と、を備えている。
【００３２】
この拡径筒部３１は、挿入される他方の管部材２の外面から一定の間隔を保持できるように、内径が管部材２の外径よりもひとまわり大きい円筒形状に形成されている。
【００３３】
加えて、この拡径筒部３１の管軸方向の長さは、少なくとも管部材１Ａ，２の伸縮によって、挿入される管部材２の端部２１が伸縮継手３に対して相対的に移動する長さ以上に形成されている。
【００３４】
そして、伸縮継手３の全体が透明樹脂によって形成されているため、この拡径筒部３１の全体が透明部３２となっており、外側の多方向から拡径筒部３１の内部空間が見えるようになっている。
【００３５】
また、指標３３は、管部材２の最適な挿入深さを明示するために設けられるもので、透明部３２である拡径筒部３１の管軸方向の略中央近傍に、円周方向に連続する小突条として拡径筒部３１の外面に設けられている。
【００３６】
したがって、この指標３３の位置では光の屈折等が周囲と異なっており管軸方向に直交する線状に見えるため、伸縮継手３の外側から見た場合に内部に見えている管部材２の端部位置の基準とすることができる。
【００３７】
加えて、この指標３３は、管部材１Ａ，２の伸縮によって管部材２が抜けないように、端部２１が相対的に移動する範囲の略中央近傍に設けられている。
【００３８】
なお、この指標３３を設ける位置は、これに限定されるものではなく、基準となる位置からの伸びる長さと縮む長さが非対称になる場合には、非対称な位置に設けることもできる。
【００３９】
そして、パッキン３８は、ゴムなどによって挿入される他方の管部材２の外径よりも小さい内径を有するリング状に形成されるもので、図３に示すように、内部の流体が逆流した際には、内圧によって止水性が高まるようにくさび状の断面を有している。
【００４０】
次に、本実施の形態の伸縮継手３の作用について説明する。  このように、本実施の形態の伸縮継手３は、一方の管部材１Ａの端部１１に取り付けられ、他方の管部材２の端部２１が移動可能に挿入される拡径筒部３１を備える伸縮継手３であって、拡径筒部３１は、挿入された他方の管部材２の端部２１位置を外側から視認できる透明部３２を備え、透明部３２には他方の管部材２の挿入深さの基準となる指標３３が設けられている。
【００４１】
したがって、挿入される管部材２の端部２１位置を外側から見て指標３３の位置に合わせることで、管部材２の端部２１の移動を拘束することなく所定の挿入位置に管部材２を設置することができる。
【００４２】
すなわち、本実施の形態の伸縮継手３は、拡径筒部３１の内部空間に、挿入される管部材２の端部２１に当接して軸方向の移動を拘束する部材を有していない。
【００４３】
このことは、図２に示すように、複数の管部材２，１Ａ，１Ｂ，１Ｃを軸方向に連続して接続するような場合には特に効果が大きいといえる。
【００４４】
つまり、軸方向に複数の管部材を連係するとそれに伴って継手部分も複数必要になる。
【００４５】
そうすると、各々の継手部分が軸方向の移動を拘束する部材を有するため、各々に発生する軸方向応力は小さいとしても、全ての継手部分の軸方向応力を合計するときわめて大きい軸方向応力が生ずることになる。
【００４６】
そして、結果として、横枝管７１，７２などの接続箇所であるチーズ４，４などに亀裂が生じたり、横枝管７１，７２が外れたり、亀裂が生じたりすることになる。
【００４７】
これに対して、本実施の形態の伸縮継手３のように、軸方向応力を伝達する部材を有していなければ、各々の継手部分で軸方向応力が発生しないため、全ての継手部分の軸方向応力を合計しても軸方向応力は発生せず、部材が破損することを防止できる。
【００４８】
また、透明部３２の所定の位置にあらかじめ指標３３が設けられることで、施工現場において巻尺などで長さを測って線を引く作業を省略することが可能となる。
【００４９】
つまり、従来のように透明部を有しない伸縮継手に指標を設けても内部を見ることはできなかったが、透明部３２を有する伸縮継手３であれば内部を見ながら位置調整できる。
【００５０】
さらに、施工完了後、所定の位置に端部２１が位置していることを確認する場合には、指標３３が設けられた透明部３２を通じて端部２１を視認することができるため端部位置の管理の信頼性が高くなる。
【００５１】
すなわち、従来は、施工完了後に挿入位置を直接確認することが困難であったため、挿入側の管部材に設けた標線を確認することで間接的に端部位置を管理していた。
【００５２】
このため、実際には所定の位置まで挿入されていない可能性や所定の位置を超えて挿入されている可能性もあった。
【００５３】
これに対して、本実施の形態の伸縮継手３のように、透明部３２を通じて直接的に端部２１を見ることができれば、挿入位置を確実に把握することができるため信頼性が高くなる。
【００５４】
また、本実施の形態の伸縮継手３は、全体が透明な樹脂によって形成されているため、狭い場所などで拡径筒部３１の正面から指標３３と端部２１とを見ることができない場合でも、斜め方向から指標３３と端部２１とを見ることによって端部２１位置を確認できる。
【００５５】
さらに、使用する際に管部材２，１Ａ，１Ｂ，１Ｃや伸縮継手３を点検する際などには、透明部３２を通じて内部を見ることができるため、点検が容易になる。
【００５６】
また、伸縮継手３の他方の管部材２の端縁である端部２１近傍の外周面には、透明部３２を通じた視認を容易にする目印としての蛍光テープ２２が設けられることで、暗渠部などで施工する際にも外側から光を当てることで端部２１位置を容易に確認することができる。
【００５７】
つまり、暗渠部やダクト室などは暗いため、透明部３２を通じて拡径筒部３１の内部を視認することができない可能性があるが、挿入される側の管部材２の端縁に蛍光テープ２２などの目印があれば、ペンライトなどで照明することで容易に端部２１位置を確認できる。
【００５８】
加えて、この目印を、管部材２の端面から所定の長さ後退した位置に目盛状に設けて端部２１の位置を間接的に示すことで、挿入される管部材２の位置の調整がより容易になる。
【実施例１】
【００５９】
以下、図４を用いて、前記実施の形態とは別の形態の伸縮継手３Ａを備える継手構造Ｃ１について説明する。
【００６０】
なお、前記実施の形態で説明した内容と同一乃至均等な部分の説明については同一符号を付して説明する。
【００６１】
まず、構成から説明すると、本実施例の継手構造Ｃ１は、図４に示すように、一方の管部材１Ｂの端部１１ｂにソケット６４によって取り付けられている伸縮継手３Ａと、この伸縮継手３Ａに移動可能に挿入されている他方の管部材１Ａと、を備えている。
【００６２】
この伸縮継手３Ａは、主要な部分全体が透明な樹脂によって形成されるもので、透明部３２と非透明部３９とを有する拡径筒部３１と、この透明部３２の略中央近傍に設けられる指標３３と、この指標３３に間隔をおいて設けられる複数のレンズ部３５，・・・と、他方の管部材１Ａを移動可能に止水するパッキン３８と、を備えている。
【００６３】
この拡径筒部３１に設けた透明部３２は、透明樹脂製の拡径筒部３１において、その他の非透明部３９をシボ加工などの表面処理によって半透明にすることによって、円周方向に連続する帯状の透明な部分として形成される。
【００６４】
なお、この非透明部３９は、表面処理によって半透明化されるものに限定されるものではなく、塗装などによるものや、表面にシートなどを貼り付けるものなどであってもよい。
【００６５】
加えて、この透明部３２は、指標３３を基準として、管部材１Ａが相対的に移動すると想定される範囲３４を包含するように設けられている。
【００６６】
さらに、レンズ部３５は、拡径筒部３１の外面に凸レンズ状に設けられるもので、透明部３２に設けた指標３３に重ねられるように円周方向に一定間隔で複数設けられている。
【００６７】
次に作用について説明する。
【００６８】
このように、本実施例の伸縮継手３Ａの透明部３２は、指標３３を基準として、少なくとも他方の管部材１Ａが相対的に移動すると想定される範囲３４に設けられる構成とすることで、管部材１Ａ，１Ｂの伸縮による移動を確認できるうえに、その他の範囲で排水が見えることを防止できる。
【００６９】
さらに、透明部３２に設けられた指標３３の近傍には、他方の管部材１Ａの端部１１ａ位置を拡大して見ることのできる複数のレンズ部３５，・・・が設けられることで、管部材１Ａの端部１１ａ位置を見やすくなるため、位置の調整が容易になる。
【００７０】
加えて、このレンズ部３５の焦点距離を、挿入される管部材１Ａの外面までの距離と一致させるようにしておけば、ペンライトなどでレンズ部３５を正面から照らすことで、管部材１Ａの外面に指標３３の位置を投影することもできる。
【００７１】
なお、この他の構成および作用効果については、前記実施の形態と略同様であるため説明を省略する。
【実施例２】
【００７２】
以下、図２，５を用いて、管部材１Ｂ，７１の端部１１，７４が移動可能に挿入される差込ソケット３Ｂ，３Ｂを有するチーズ４を備える継手構造Ｃ２について説明する。
【００７３】
なお、前記実施の形態及び実施例１で説明した内容と同一乃至均等な部分の説明については同一符号を付して説明する。
【００７４】
まず構成から説明すると、本実施例の継手構造Ｃ２は、図２，５に示すように、３つの挿入口４１，４２，４３を有するチーズ４と、上向きの挿入口４１に取り付けられる差込ソケット３Ｂと、この上向きの差込ソケット３Ｂに移動可能に挿入される管部材１Ｂと、下向きの挿入口４２に固定された管部材１Ｃと、横向きの挿入口４３に取り付けられる差込ソケット３Ｂと、この横向きの差込ソケット３Ｂに移動可能に挿入される横枝管７１と、を備えている。
【００７５】
このチーズ４は、硬質塩化ビニルなどの樹脂によって形成されるもので、図５に示すように、縦方向に配設された管部材１Ｂ，１Ｃを接続する挿入口４１，４２と、横枝管７１を接続する挿入口４３と、を備えている。
【００７６】
そして、本実施例の上向き及び横向きの差込ソケット３Ｂは、主要な部分全体が透明な樹脂によって形成されるもので、全体が透明部３２となっている拡径筒部３１と、この拡径筒部３１の略中央近傍に設けられる指標３３と、金具取付部３０ａ，３０ｂ，３０ｂと、他方の管部材２を移動可能に止水するパッキン３８と、このパッキン３８を押さえるキャップ３７と、挿入口４１，４３に嵌め合わされて接着される縮径筒部３６と、を備えている。
【００７７】
そして、横向きの差込ソケット３Ｂの内部には、横枝管７１の内面７１ａと拡径筒部３１の内面３１ａとの段差を埋める段差防止筒５１が設けられている。
【００７８】
この段差防止筒５１は、樹脂などによってテーパ状の外面５１ａを有する短円筒状に形成されるもので、内径が横枝管７１の内径と略同一に形成されるとともに、外径が差込ソケット３Ｂの内径と略同一に形成されている。
【００７９】
さらに、段差防止筒５１の外面５１ａの外径は、横枝管７１に近い側は拡径筒部３１の内径と略同一にされ、横枝管７１から遠い側は縮径筒部３６の内径と略同一にされて、中間部分は直線的に外径が変化するテーパ状に形成されている。
【００８０】
次に、作用について説明する。
【００８１】
このように、本実施例の伸縮継手としてのチーズ４は、一方の管部材１Ｂの端部１１に取り付けられ、他方の管部材としての横枝管７１の端部７４が移動可能に挿入される拡径筒部３１を有する差込ソケット３Ｂを備えている。
【００８２】
そして、差込ソケット３Ｂの拡径筒部３１の内側には、拡径筒部３１の内面３１ａと横枝管７１の内面７１ａとの段差を埋める段差防止筒５１が挿入され、段差防止筒５１は、横枝管７１の移動に追従して摺動可能に形成されている。
【００８３】
したがって、横向きの配管に伸縮継手としてのチーズ４を設置する際にも、横枝管７１の伸縮による移動を拘束することがないうえに、段差を埋めることで排水中の不純物などが溜まることを抑制できる。
【００８４】
すなわち、段差防止筒５１は、外面５１ａがテーパ状に形成されることで、拡径筒部３１や縮径筒部３６の内面に対する摩擦が小さくなって摺動しやすくなっている。
【００８５】
ここにおいて、この段差防止筒５１の先端５１ｃには当接する部材が設けられていないため、段差防止筒５１が取り付けられた横枝管７１の軸方向の移動を拘束することはない。
【００８６】
さらに、段差防止筒５１は、横枝管７１と一体となって移動した状態でも、横枝管７１の内面７１ａと拡径筒部３１の内面３１ａとを滑らかに接続しているため、これらの隙間に不純物が溜まることを防止できる。
【００８７】
そして、このように段差防止筒５１を設ける場合には、横枝管７１の設置位置の調整に比較的高い精度が必要となるが、透明部３２を通じて端部７４位置を見ることができれば、段差防止筒５１の正確な設置が可能となる。
【００８８】
また、本実施例の差込ソケット３Ｂのように、伸縮継手の全体を透明樹脂によって形成するのではなく、管部材１Ｂ，７１が挿入される拡径筒部３１を有する部分のみを透明にすることで、製品全体のコストを抑えることができるうえに、製品の耐久性を高めることができる。
【００８９】
なお、この他の構成および作用効果については、前記実施の形態と略同様であるため説明を省略する。
【００９０】
以上、図面を参照して、本発明の最良の実施の形態及び実施例１，２を詳述してきたが、具体的な構成は、この実施の形態又は実施例１，２に限らず、本発明の要旨を逸脱しない程度の設計的変更は、本発明に含まれる。
【００９１】
例えば、前記実施の形態及び実施例１，２では、拡径筒部３１が、伸縮継手３やチーズ４に設けられる場合について説明したが、これに限定されるものではなく、エルボなどに適用してもよいし、管部材の伸縮を吸収するために用いる継手であればどのような継手にも適用できる。
【００９２】
また、前記実施の形態及び実施例１，２では、指標３３は拡径筒部３１と一体に成形される場合について説明したが、これに限定されるものではなく、指標３３はテープやシールなどを貼り付けるものであってもよいし、塗装によるものであってもよい。
【００９３】
さらに、前記実施例１では、透明部３２は円周方向に連続する帯状に設けられる場合について説明したが、これに限定されるものではなく、透明部３２は軸方向に連続する帯状に設けられるものであってもよい。
【００９４】
そして、前記実施例２では、差込ソケット３Ｂ，３Ｂが取り付けられるチーズ４が非透明な樹脂によって形成される場合について説明したが、これに限定されるものではなく、チーズ４は透明な樹脂によって形成されるものであってもよい。
【図面の簡単な説明】
【００９５】
【図１】本発明の最良の実施の形態の伸縮継手の構成を説明する斜視図である。
【図２】伸縮継手を備える継手構造の全体構成を説明する説明図である。
【図３】本発明の最良の実施の形態の伸縮継手の構成を説明する断面図である。
【図４】実施例１の伸縮継手の構成を説明する斜視図である。
【図５】実施例２の伸縮継手の構成を説明する断面図である。
【符号の説明】
【００９６】
Ｃ，Ｃ１，Ｃ２  継手構造
１Ａ，１Ｂ，１Ｃ，２  管部材
１１，１１ａ，２１  端部
２２        蛍光テープ（目印）
３，３Ａ    伸縮継手
３Ｂ        差込ソケット
３１        拡径筒部
３２        透明部
３３        指標
３４        範囲
３５        レンズ部
３９        非透明部
４          チーズ（伸縮継手）
５１        段差防止筒
７１        横枝管（管部材）
７４        端部
【図１】
2009204047.tif 000003
【図２】
2009204047.tif 000004
【図３】
2009204047.tif 000005
【図４】
2009204047.tif 000006
【図５】
2009204047.tif 000007